(57)【要約】【課題】  屋根瓦の厚みに合わせる必要なく接続を行なうことができ、また屋根瓦の段差に合わせた段差で接続を行なうことができると共に、立体感が出るように階段状に接続を行なうことができるケラバ瓦を提供する。【解決手段】  屋根瓦１の上に載置される載置片２と屋根瓦１の妻側端面を妻側から覆う覆い片３とで断面略Ｌ型にケラバ瓦本体４を形成する。ケラバ瓦本体４の棟側端部に棟側へ向けて嵌合突片５を突設すると共に、ケラバ瓦本体４の軒側端部の下面に他のケラバ瓦本体４の嵌合突片５が嵌合される嵌合凹部６を軒側端面で開口させ設ける。嵌合突片５の外面がケラバ瓦本体４の外面と面一になるように嵌合突片５を形成する。【選択図】  図１
2006274588.tif 000002
【特許請求の範囲】
【請求項１】
屋根瓦の上に載置される載置片と屋根瓦の妻側端面を妻側から覆う覆い片とで断面略Ｌ型にケラバ瓦本体を形成し、ケラバ瓦本体の棟側端部に棟側へ向けて嵌合突片を突設すると共に、ケラバ瓦本体の軒側端部の下面に他のケラバ瓦本体の嵌合突片が嵌合される嵌合凹部を軒側端面で開口させて設け、嵌合突片の外面がケラバ瓦本体の外面と面一になるように嵌合突片を形成して成ることを特徴とするケラバ瓦。
【請求項２】
請求項１に記載のケラバ瓦を施工するにあたって、屋根瓦の妻側端面を覆い片で覆うと共に、載置片をこの屋根瓦の上に、嵌合突片を棟側に隣接する屋根瓦の軒側端部の上にそれぞれ載置することによって、ケラバ瓦の軒側端部を屋根瓦の軒側端部に一致させた状態で、ケラバ瓦を屋根瓦の上に取り付け、このケラバ瓦の嵌合突片の上に、棟側に隣接するケラバ瓦の嵌合凹部を嵌合して、ケラバ瓦同士を接続して成ることを特徴とするケラバ瓦の施工構造。
【発明の詳細な説明】
【技術分野】
【０００１】
本発明は、屋根の妻側の端部において用いられるケラバ瓦及びケラバ瓦の施工構造に関するものである。
【背景技術】
【０００２】
切妻屋根などの屋根において、屋根の妻側の端部に葺かれる屋根瓦には、妻側端部の仕舞いなどのために、ケラバ役物とも称されるケラバ瓦が取り付けられている（例えば特許文献１等参照）。
【０００３】
図４（ａ）（ｂ）は妻側端部の屋根瓦１にケラバ瓦Ａを取付施工した構造の一例を示すものであり、ケラバ瓦Ａは水平な載置片２の一側端に覆い片３を垂下して断面略Ｌ字形に形成してある。また屋根瓦１は、軒側の屋根瓦１の棟側端部の上に棟側に隣接する屋根瓦１の軒側端部を重ねるようにして、階段状に葺かれている。
【０００４】
そしてこの屋根瓦１の妻側端部にケラバ瓦Ａを取り付けるにあたっては、まず軒側端部に位置する屋根瓦１（１ａ）の上面に、この屋根瓦１ａの妻側端面を覆い片３で覆った状態で、載置片２を重ねて載置することによって、ケラバ瓦Ａ（Ａａ）を屋根瓦１（１ａ）の上に取り付ける。このとき、このケラバ瓦Ａ（Ａａ）の棟側端面は、この屋根瓦１（１ａ）の棟側に隣接する屋根瓦１（１ｂ）の軒側端面に突きつけて当接させるようにしてある。次に、このケラバ瓦Ａ（Ａａ）の棟側に隣接するケラバ瓦Ａ（Ａｂ）を屋根瓦１（１ｂ）の上に上記と同様に載置して取り付けると共に、このケラバ瓦Ａ（Ａｂ）の軒側端部をケラバ瓦Ａ（Ａａ）の棟側端部の上に重ね合わせることによって、ケラバ瓦Ａ同士を接続する。以下同様にして、軒側のケラバ瓦Ａの棟側端部の上に棟側に隣接するケラバ瓦Ａの軒側端部を重ねて、階段状にケラバ瓦Ａの取り付けが行なわれる。
【特許文献１】特開平５−４２５２１号公報
【発明の開示】
【発明が解決しようとする課題】
【０００５】
上記のように各ケラバ瓦Ａは各屋根瓦１の上面に重ねて載置されており、軒側のケラバ瓦Ａの棟側端面を棟側に隣接する屋根瓦１の軒側端面に当接させた状態で、この軒側のケラバ瓦Ａの棟側端部の上に棟側に隣接するケラバ瓦Ａの軒側端部を重ね合わせることによって、ケラバ瓦Ａの軒棟方向での接続が行なわれている。
【０００６】
このようにケラバ瓦Ａを接続するためには、ケラバ瓦Ａの厚みは屋根瓦１の軒側端部での厚みと等しく形成することが必要である。すなわち、ケラバ瓦Ａの厚みが屋根瓦１の厚みよりも薄いと、この厚み寸法差の隙間が、軒側のケラバ瓦Ａ（Ａａ）の上面と棟側のケラバ瓦Ａ（Ａｂ）の下面との間に生じることになり、またケラバ瓦Ａの厚みが屋根瓦１の厚みよりも厚いと、棟側のケラバ瓦Ａから浮き上がってしまうことになるものである。従って、屋根瓦１の軒側端部の厚みはその種類に応じてまちまちであるので、屋根瓦１の種類に応じて厚みの異なるケラバ瓦Ａを用意しておく必要があるという問題があった。
【０００７】
また、棟側のケラバ瓦Ａ（Ａｂ）は、屋根瓦１の軒側端面に当接させた軒側のケラバ瓦Ａ（Ａａ）の上に重ねられるために、この重ね合わせ寸法分（図４にイで示す）、ケラバ瓦Ａ（Ａｂ）の軒側端部は屋根瓦１の軒側端部より軒側に突出することになる。従って、屋根瓦１の接続部の段差とケラバ瓦Ａの接続部の段差を一直線に揃えることができず、屋根の意匠性に問題があった。
【０００８】
さらに、ケラバ瓦として、棟側端部に嵌合突片を突設すると共に、軒側端部の下面に嵌合凹部を軒側端面で開口させて設けたものを用い、軒棟方向に隣合うケラバ瓦において、軒側のケラバ瓦の嵌合突片に棟側のケラバ瓦の嵌合凹部を嵌合させることによって、嵌合構造でケラバ瓦を接続するようにしたものも提案されている。しかし、このものでは嵌合突片と嵌合凹部を嵌合させる結果、軒側のケラバ瓦の棟側端部の外面と、棟側のケラバ瓦の軒側端部の外面が面一に連続することになり、立体感が乏しくなって屋根の意匠性に問題が生じることがあった。
【０００９】
本発明は上記の点に鑑みてなされたものであり、屋根瓦の厚みに合わせる必要なく接続を行なうことができ、また屋根瓦の段差に合わせた段差で接続を行なうことができると共に、立体感が出るように階段状に接続を行なうことができるケラバ瓦及びケラバ瓦の施工構造を提供することを目的とするものである。
【課題を解決するための手段】
【００１０】
本発明の請求項１に係るケラバ瓦は、屋根瓦１の上に載置される載置片２と屋根瓦１の妻側端面を妻側から覆う覆い片３とで断面略Ｌ型にケラバ瓦本体４を形成し、ケラバ瓦本体４の棟側端部に棟側へ向けて嵌合突片５を突設すると共に、ケラバ瓦本体４の軒側端部の下面に他のケラバ瓦本体４の嵌合突片５が嵌合される嵌合凹部６を軒側端面で開口させて設け、嵌合突片５の外面がケラバ瓦本体４の外面と面一になるように嵌合突片５を形成して成ることを特徴とするものである。
【００１１】
また本発明の請求項３に係るケラバ瓦の施工構造は、請求項１に記載のケラバ瓦Ａを施工するにあたって、屋根瓦１の妻側端面を覆い片３で覆うと共に、載置片２をこの屋根瓦１の上に、嵌合突片５を棟側に隣接する屋根瓦１の軒側端部の上にそれぞれ載置することによって、ケラバ瓦Ａの軒側端部を屋根瓦１の軒側端部に一致させた状態で、ケラバ瓦Ａを屋根瓦１の上に取り付け、このケラバ瓦Ａの嵌合突片５の上に、棟側に隣接するケラバ瓦Ａの嵌合凹部６を嵌合して、ケラバ瓦Ａ同士を接続して成ることを特徴とするものである。
【発明の効果】
【００１２】
本発明によれば、軒側のケラバ瓦Ａの嵌合突片５に棟側のケラバ瓦Ａの嵌合凹部６を嵌合させてケラバ瓦Ａ同士を接続するようにしているために、屋根瓦１の上面にケラバ瓦Ａを重ね合わせて載置する必要なく、ケラバ瓦Ａ同士の接続を行なうことができるものである。従って、ケラバ瓦Ａの厚みを屋根瓦１の厚みに合わせるような必要がなくなると共に、ケラバ瓦Ａの接続部の段差を屋根瓦１の接続部の段差に合わせることが可能になるものである。しかも嵌合突片５の外面がケラバ瓦本体４の外面と面一になるように嵌合突片５を形成しているので、嵌合凹部６の部分におけるケラバ本体４の軒側端面の厚みの分、ケラバ瓦Ａの接続部に段差が形成されて階段状にケラバ瓦Ａを接続することができ、立体感を出すことができるものである。
【発明を実施するための最良の形態】
【００１３】
以下、本発明を実施するための最良の形態を説明する。
【００１４】
図３は本発明に係るケラバ瓦Ａの実施の形態の一例を示すものであり、ケラバ瓦本体４の棟側端部に嵌合突片５を一体に突設すると共にケラバ瓦本体４の軒側端部の下面に嵌合凹部６を凹設してケラバ瓦Ａが形成してある。ケラバ瓦本体４は軒や棟と平行な方向での断面形状をＬ字形に形成してあり、図３の実施の形態では断面Ｌ字形に屈曲する屈曲線を中心として線対称形に形成することによって、屋根の左右のいずれの妻端部においてもケラバ瓦Ａを使用することができるようにしてある。そしてケラバ瓦Ａを使用する際の姿勢において、水平になる片が載置片２、垂下される片が覆い片３となるものである。図３において１１は釘打ち用孔である。
【００１５】
嵌合突片５はケラバ瓦本体４のこの載置片２の棟側端面から覆い片３の棟側端面にかけて設けることによって同様に断面Ｌ字形に形成されるものである。嵌合突片５はその外面がケラバ本体４の外面とほぼ面一になるように形成されるものであり、嵌合突片５の外面には幅方向の全長に亘る水切り溝１０が複数本凹設してある。また嵌合凹部６も載置片２の下面から覆い片３の下面にかけて断面Ｌ字形に形成されるものであり、ケラバ瓦本体４の軒側端面に開口させるようにしてある。嵌合突片５の幅寸法及び嵌合凹部６の幅寸法はケラバ本体の幅寸法より小さく形成してあり、嵌合突片５と嵌合凹部６の幅寸法はほぼ同一、もしくは嵌合突片５の幅寸法を嵌合凹部６より僅かに小さく形成してある。また嵌合突片５の棟方向への突出寸法は、嵌合凹部６の奥行き寸法、すなわちケラバ瓦本体４の軒側端面から嵌合凹部６の棟側端部までの寸法よりも若干小さく形成してある。ここで、嵌合突片５も含めたケラバ瓦Ａの軒棟方向の全長の寸法は、屋根に葺かれる屋根瓦１の軒棟方向の寸法とほぼ等しくなるように形成してあり、ケラバ瓦本体４の軒棟方向の寸法は、後述のように屋根に葺かれる屋根瓦１の露出する部分の軒棟方向の寸法とほぼ等しくなるように形成してある。
【００１６】
図１及び図２は切妻屋根などの屋根の妻側端部の瓦葺構造を示すものであり、屋根に葺かれる一般の屋根瓦１は、軒側の屋根瓦１の棟側端部の上に棟側に隣接する屋根瓦１の軒側端部を重ねるようにして、野地板１２の上に階段状に取り付けてある。この野地板１２の妻側端部には妻板１３が取り付けてある。
【００１７】
そして屋根の妻側端部に葺かれた屋根瓦１にケラバ瓦Ａを施工するにあたっては、図２のように、屋根瓦１の妻側端面を覆い片３で覆うようにして、載置片２を屋根瓦１の上に載置する。このとき、ケラバ瓦Ａ（Ａａ）の載置片２の軒側端部が屋根瓦１（１ａ）の軒側端部の上に載置されると共に、この屋根瓦１（１ａ）と棟側に隣接する屋根瓦１（１ｂ）の軒側端部の上にケラバ瓦Ａ（Ａａ）の嵌合突片５が載置されるように、ケラバ瓦Ａは軒棟方向に隣接する屋根瓦１間に跨って載置されるものである。従って、軒棟方向に隣合う屋根瓦１間の段差の分、ケラバ瓦Ａの載置片２の下面と屋根瓦１の露出面の上面との間には図１のように隙間が形成される。この隙間には詰め物などを入れて塞ぐようにしてもよい。またケラバ瓦Ａはその軒側端面が屋根瓦１の軒側端面と一致するように配置されるものであり、このときケラバ瓦本体４の棟側端部は、この屋根瓦１の棟側に隣接する屋根瓦１の軒側端部に一致することになる。そしてこのケラバ瓦Ａの覆い片３に設けた釘打ち孔１１を通して妻板１３に釘を打入することによって、ケラバ瓦Ａを固定する。
【００１８】
次に、このケラバ瓦Ａ（Ａａ）の棟側に隣接するケラバ瓦Ａ（Ａｂ）を、棟側の屋根瓦１（１ｂ）の上に配置し、ケラバ瓦Ａ（Ａａ）の嵌合突片５に上からケラバ瓦Ａ（Ａｂ）の嵌合凹部６を嵌合させた状態で、上記と同様にして、このケラバ瓦Ａ（Ａｂ）を軒棟方向に隣接する屋根瓦１間に跨って載置する。このケラバ瓦Ａ（Ａｂ）も屋根瓦１（１ｂ）と軒側端面が一致するように配置されるものであり、上記と同様にして釘打ち固定する。以下同様にして、軒側のケラバ瓦Ａの嵌合突片５に、棟側に隣接するケラバ瓦Ａの嵌合凹部６を嵌合して、ケラバ瓦Ａを接続しながら取り付け施工を行なうことができるものである。ここで、嵌合突片５はその外面がケラバ瓦本体４の外面とほぼ面一になるように形成してあるので、嵌合凹部６の部分におけるケラバ瓦本体４の軒側端面の厚みの分、軒棟方向に隣接するケラバ瓦Ａの接続部に段差が形成され、図１のように階段状にケラバ瓦Ａを接続することができるものであり、立体感を出すことができるものである。また、屋根瓦１の施工に誤差があったりして、屋根瓦１の軒側端面の位置が多少ずれていていも、嵌合突片５と嵌合凹部６との軒棟方向での嵌合深さを調整することによって、ケラバ瓦Ａの軒側端面を屋根瓦１の軒側端面に容易に一致させることができるものである。
【００１９】
そして上記のように、軒棟方向に隣接するケラバ瓦Ａの接続は、軒側のケラバ瓦Ａの嵌合突片５に棟側のケラバ瓦Ａの嵌合凹部６を嵌合させることによって行なうようにしているので、屋根瓦１の上面にケラバ瓦Ａを重ね合わせて載置する必要がなくなる。従って、従来のようにケラバ瓦Ａの厚みを屋根瓦１の厚みに合わせるような必要がなくなるものであり、またケラバ瓦Ａの接続部の段差を屋根瓦１の接続部の段差に合わせることが可能になり、屋根瓦１の段差とケラバ瓦Ａの段差を一直線に揃えて意匠性を高めることができるものである。
【図面の簡単な説明】
【００２０】
【図１】本発明の実施の形態の一例を示す側面断面図である。
【図２】本発明の実施の形態の一例を示す一部の正面断面図である。
【図３】同上のケラバ瓦を示すものであり、（ａ）は平面図、（ｂ）は正面図、（ｃ）は右側面図、（ｄ）は左側面図である。
【図４】従来例を示すものであり、（ａ）は平面図、（ｂ）は側面図である。
【符号の説明】
【００２１】
１  屋根瓦
２  載置片
３  覆い片
４  ケラバ瓦本体
５  嵌合突片
６  嵌合凹部
【図１】
2006274588.tif 000003
【図２】
2006274588.tif 000004
【図３】
2006274588.tif 000005
【図４】
2006274588.tif 000006